(57)【特許請求の範囲】
【請求項１】
杆体状の支持アームを有する支持装置に装着され、被支持体を上下角度自在に連結する支持装置用ピボット軸受構造において、支持アームの端部を左右から挟着する大型圧着板と、被支持体を連結する固定具に設けられ、支持アームの端部を大型圧着板の外側から挟着する一対の支持片の内側に夫々配された小型圧着板とを有し、固定具と大型圧着板とを介して設けられたラッチ機構により、被支持体を上向きに調整するときに支持片と小型圧着板とが摺接し、被支持体を下向きに調整するときに大型圧着板と支持アームの端部とが摺接するように設け、前記ラッチ機構は、前記大型圧着板と小型圧着板との間に挟着されて大型圧着板の外周方向に突出するように固定された円板状のラッチ爪と前記固定具に設けられた係止板とからなり、被支持体を下向きに調整するときに係止板がラッチ爪に係合するように設けたことを特徴とする支持装置用ピボット軸受構造。
【請求項２】
前記大型圧着板と小型圧着板とは、合成樹脂材にて形成され前記支持片相互を貫通するボルト状の緊締軸で、支持片と前記支持アーム端部との間に圧着された請求項１記載の支持装置用ピボット軸受構造。
【発明の詳細な説明】
【０００１】
【発明の属する技術分野】
本発明は、例えば薄型ディスプレイなどを支持用アームやスタンド等の支持装置に装着する際に、これらの間に介して薄型ディスプレイを上下角度自在に支持する支持装置用ピボット軸受構造に関する。
【０００２】
【従来の技術】
薄型ディスプレイを支持する支持用アームやスタンドとして、特開平4-15680号公報に記載された平面形ディスプレイ装置や、特開平9-326980号公報に記載の情報モニター装置などが提案されている。
【０００３】
前者の平面形ディスプレイ装置は、屈曲自在なアーム部の先端に平面形ディスプレイを支持する装置で、このアーム部を屈曲して、先端部に支持した平面形ディスプレイの位置を調整できるようにしたものである。
【０００４】
後者の情報モニター装置は、支柱の両端を天井部と床部に当接させて固定し、この支柱に薄板状の情報表示部を上下位置調整可能に保持する装置である。この装置は、多関節アームを使用して情報モニターを支持する他、上下左右に屈曲する継ぎ手を介し、薄型モニターを直接支柱に連結することもできる。
【０００５】
【発明が解決しようとする課題】
従来の支持装置で使用している支持用アームや多関節アームなどで、薄型ディスプレイ等を一定の角度に固定しておくには、角度を調整する屈曲部分に相応の支持強度が必要になる。ところが、屈曲部の強度を高めると、薄型ディスプレイ等の角度調整が困難になる不都合が生じていた。
【０００６】
すなわち、薄型ディスプレイ等を操作して上下角度を調整する際に、屈曲部の強度を弱くして角度調整を容易にした場合は、薄型ディスプレイ等の自重で下向きになる虞がある。一方、薄型ディスプレイ等の自重に耐えるべく屈曲部の支持強度を高めると、角度調整の操作が重くなり、屈曲部の角度を固定している固定ネジ等を一旦解除し、任意の角度に調整してから再び固定ネジを緊締するなどの操作が必要になることもあった。このように従来では、支持用アームやスタンド等の支持装置に、特に大型の薄型ディスプレイ等を支持しながら、上下角度の調整を容易にできるといったものはこれまで提案されていなかった。
【０００７】
そこで本発明は上述の課題を解消すべく創出されたもので、支持装置に支持した薄型ディスプレイ等の上下角度調整操作を容易にし、特に大型の薄型ディスプレイ等の被支持体を支持した場合でも、被支持体の自重で下向きになったり、操作が重くならずに済む支持装置用ピボット軸受構造の提供を目的とする。
【０００８】
【課題を解決するための手段】
上述の目的を達成すべく本発明の第１の手段は、杆体状の支持アームＰを有する支持装置に装着され、被支持体Ｑを上下角度自在に連結する支持装置用ピボット軸受構造において、支持アームＰの端部Ｐ１を左右から挟着する大型圧着板１と、被支持体Ｑを連結する固定具４に設けられ、支持アームＰの端部を大型圧着板１の外側から挟着する一対の支持片３の内側に夫々配された小型圧着板２とを有し、固定具４と大型圧着板１とを介して設けられたラッチ機構１０により、被支持体Ｑを上向きに調整するときに支持片３と小型圧着板２とが摺接し、被支持体Ｑを下向きに調整するときに大型圧着板１と支持アームＰの端部Ｐ１とが摺接するように設けたことにある。
【０００９】
ラッチ機構１０は、前記大型圧着板１と小型圧着板２との間に挟着されて前記大型圧着板１の外周方向に突出するように固定された円板状のラッチ爪１１と、前記固定具４に設けられた係止板１２とからなり、被支持体Ｑを下向きに調整するときに、係止板１２がラッチ爪１１に係合するものである。
【００１０】
第３の手段における大型圧着板１と小型圧着板２とは、合成樹脂材にて形成されている。そして、支持片３相互を貫通するボルト状の緊締軸５で、支持片３と前記支持アーム端部Ｐ１との間に、大型圧着板１と小型圧着板２とを圧着することを課題解消のための手段とする。
【００１１】
本発明によると、薄型ディスプレイ等の被支持体Ｑの自重によって下向きにかかる荷重は、ラッチ機構１０を介して大型圧着板１と小型圧着板２とが保持する。一方、被支持体Ｑを上方に持ち上げる場合は、ラッチ機構１０が解除されて支持片３と小型圧着板２とが摺接するのみとなるので、僅かな力で角度調整することができるものである。
【００１２】
【発明の実施の形態】
以下、図面を参照して本発明の実施の形態を説明する。本発明ピボット軸受構造は、薄型ディスプレイ等の被支持体Ｑを屈曲自在に支持する支持装置に設けられた支持アームＰの端部Ｐ１と、被支持体Ｑを固定する固定具４から突設した一対の支持片３との間に介する大型圧着板１、小型圧着板２、ラッチ機構１０からなる（図１参照）。
【００１３】
大型圧着板１は、支持アームＰの端部Ｐ１を左右から挟着する円板状を成したもので、後述するラッチ機構１０を介して被支持体Ｑを下向きに調整するときに大型圧着板１の板面と支持アームＰの端部Ｐ１側面とが摺接するように設けてある（図７参照）。支持アームＰの端部Ｐ１は、大型圧着板１が密着するように円板形状に形成している。また、図示例では、この端部Ｐ１を左右に揺動自在にするように支持アームＰに軸止している（図１参照）。このように、支持アームＰと端部Ｐ１との設計変更は任意である。
【００１４】
小型圧着板２は、支持片３の内側に夫々配されている（図２参照）。この支持片３は、被支持体Ｑを連結する固定具４に設けられているもので、前記支持アームＰの端部を大型圧着板１の外側から挟着するように左右に一対配している。小型圧着板２は、この支持片３の内側に夫々配されている。この小型圧着板２は、被支持体Ｑを上向きに調整するときに支持片３と小型圧着板２とが摺接するものとなる（図６参照）。
【００１５】
ラッチ機構１０は、固定具４に設けた係止板１２と、大型圧着板１に設けたラッチ爪１１とからなる（図５乃至図８参照）。図示のラッチ爪１１は、大型圧着板１と小型圧着板２との間に挟着された円板状を成している（図５参照）。そして、該ラッチ爪１１が大型圧着板１の外周方向に突出するように形成している（図７参照）。一方、係止板１２は、前記固定具４に設けられている（図８参照）。図示の係止板１２は、正面略横Ｈ形状を成した弾性鋼鈑で形成し、ラッチ爪１１を挿入する切欠部１２Ａとラッチ爪１１が係止する係止部１２Ｂとを設けている。そして、この切欠部１２Ａに挿入したラッチ爪１１は、被支持体Ｑを下向きに調整するときにのみ係止部１２Ｂに係止するものである（図７参照）。
【００１６】
固定具４は、支持片３を介して支持アームＰの端部Ｐ１に軸止すると共に、薄型ディスプレイ等の被支持体Ｑを固定する（図４参照）。図示の固定具４は、矩形状の板体に、支持片３や係止板１２を装着するネジ孔４Ａを開穿し、ボルト孔４Ｂを中央に設けたものである。そして、固定盤４Ｃを介して固定具４に被支持体Ｑを固定する。
【００１７】
これらの大型圧着板１及び小型圧着板２は、合成樹脂材にて形成されている。そして、支持片３と前記支持アーム端部Ｐ１との間に、大型圧着板１、ラッチ爪１１、小型圧着板２の順に重合し、支持片３相互を貫通するボルト状の緊締軸５で固定している（図２、図３参照）。このように配することで、被支持体Ｑを下向きに調整するときに、大型圧着板１と小型圧着板２との圧接力を合わせた抵抗力が得られるので、より高い支持力を有するものになる。また、他の実施例として、大型圧着板１とラッチ爪１１とを一体に設けたり、大型圧着板１と小型圧着板２とを一体に設けることも可能である（図示せず）。
【００１８】
【発明の効果】
本発明は、上述の如く構成したことにより当初の目的を達成する。すなわち固定具４と大型圧着板１とを介して設けられたラッチ機構１０により、被支持体Ｑを上向きに調整するときに支持片３と小型圧着板２とが摺接し、被支持体Ｑを下向きに調整するときに大型圧着板１と支持アームＰの端部Ｐ１とが摺接するように設けたことにより、支持装置に支持した薄型ディスプレイ等の上下角度調整操作を容易にすることができた。
【００１９】
特に大型の薄型ディスプレイ等の被支持体Ｑを支持した場合でも、被支持体Ｑの自重で下向き傾向になったり、操作が重くならずに済む。
【００２０】
また、ラッチ機構１０は、前記大型圧着板１と小型圧着板２との間に挟着されて大型圧着板１の外周方向に突出するように固定された円板状のラッチ爪１１と前記固定具４に設けられた係止板１２とからなり、被支持体Ｑを下向きに調整するときに係止板１２がラッチ爪１１に係合するものであるから、被支持体Ｑから下方に向けて加わる自重や角度調整時の荷重を大型圧着板１が確実に保持することが可能になった。
【００２１】
更に、大型圧着板１と小型圧着板２とは、合成樹脂材にて形成されているので圧接時の保持力が高く、角度調整時にスムーズに摺接するので操作性を良好にしている。
【００２２】
このように本発明によると、支持装置に支持した薄型ディスプレイ等の上下角度調整操作を容易にし、特に大型の薄型ディスプレイ等の被支持体を支持した場合でも、被支持体の自重で下向きになったり、操作が重くならずに済むなどといった有益な種々の効果を奏するものである。
【図面の簡単な説明】
【図１】本発明を装着した一実施例を示す斜視図である。
【図２】本発明軸受構造の一実施例を示す平面図である。
【図３】本発明軸受構造の一実施例を示す側面図である。
【図４】本発明の固定具を示す正面図である。
【図５】本発明軸受構造の一実施例を示す一部切欠背面図である。
【図６】図２に示す矢視Ａ‐Ａ’線断面図である。
【図７】図２に示す矢視Ｂ‐Ｂ’線図である。
【図８】図２に示す矢視Ｃ‐Ｃ’線図である。
【符号の説明】
Ｐ  支持アーム    Ｐ１  端部
Ｑ  被支持体
１  大型圧着板
２  小型圧着板
３  支持片
４  固定具        ４Ａ  ネジ孔
４Ｂ  ボルト孔
５  緊締軸
１０  ラッチ機構
１１  ラッチ爪
１２  係止板      １２Ａ  切欠部
１２Ｂ  係止部
【図１】
0003750112.tif 000002
【図２】
0003750112.tif 000003
【図３】
0003750112.tif 000004
【図４】
0003750112.tif 000005
【図５】
0003750112.tif 000006
【図６】
0003750112.tif 000007
【図７】
0003750112.tif 000008
【図８】
0003750112.tif 000009